(57)【特許請求の範囲】
【請求項１】
軸孔部を挟んで対向する一方が磁石を保持するポールピース部とされ、他方がバランスウェイト部とされた磁性材からなるインサートコアと、該インサートコアを覆うように円盤状に成形された非磁性材層と、前記インサートコアに取り付けられて、スタータロープの操作により回転するリールの係合部に引掛けられて回転付勢されるラチエット爪とを備えた磁石発電機の回転子において、前記ラチエット爪を回転可能に支持する軸部と、該軸部および前記インサートコアに形成された透孔に挿通された雄ねじと、該雄ねじ端がねじ込まれて前記軸部を介して前記ラチエット爪を前記インサートコアに保持するナットと、前記インサートコアまたは前記非磁性材層に形成されて、前記ナットの廻り止めをする廻り止め穴とを設けたことを特徴とする磁石発電機の回転子。
【請求項２】
前記ラチエット爪を回転自在に支持する軸部が、前記インサートコアとともに一体成形されていることを特徴とする請求項１に記載の磁石発電機の回転子。
【発明の詳細な説明】
【０００１】
【発明の属する技術分野】
この発明は、内燃機関の点火装置に使用される磁石発電機の回転子に係り、特に、磁石を保持したインサートコアなどをインサート成形によって合成樹脂などの非磁性材中に埋め込むようにして形成したものに関する。
【０００２】
【従来の技術】
図５および図６は従来の作業機等に用いられる小型エンジンの一部を破断して示し、同図において、１は小型エンジン、１２はこの小型エンジン１のシリンダ、１３はこのシリンダ１２内を摺動するピストンを支持するコンロッドである。また、１４は前記コンロッド１３端を偏心駆動するためのクランクシャフト、１５はこのクランクシャフト１４端に取り付けられた回転子Ｂを固定するナットである。
【０００３】
前記回転子Ｂは軸孔部を挟んで対向する一方が磁石２を保持して、磁極３とともにポールピース部Ｐを構成し、他方がバランスウェイト部４とされた磁性材のインサートコア２６からなる。なお、このインサートコア２６には冷却フィンなどが一体に設けられる。
【０００４】
また、６は前記インサートコア２６を覆うように円盤状に成形された合成樹脂層などの非磁性材層である。
【０００５】
一方、７はラチエット爪であり、このラチエット爪７は間筒としての透孔８ａを有する軸部８に対して回転自在に支持されている。また、この軸部８には図６に示すように雄ねじ１０が挿通されて、この雄ねじ１０の先端が、前記インサートコア２６に予め形成した雌ねじ２７にねじ込み固定されている。
【０００６】
また、９は前記軸部８に一端が固定され、他端が前記ラチエット爪７に係止されたラチエット用ばねであり、これがラチエット爪７を一方向に回転付勢している。
【０００７】
さらに、前記回転子Ｂに対向する作業機の機枠２８内にはリール軸２９が一体に突設されており、このリール軸２９にはロープ１７を巻装したリール１６が回転自在に支持されており、このリール１６には前記ラチエット爪７を引掛けてこれを回転付勢する係合部３０が突設されている。
【０００８】
前記リール軸２９の周辺には、このリール軸２９の廻りに前記リール１６を回転付勢するためのゼンマイばね１８が設けられている。３１はリール軸２９端にねじ３２によって固定されて、リール１６の軸孔がリール軸２９から抜けるのを防止する抜け止め用のワッシャである。なお、リール軸２９，リール１６，ロープ１７，ゼンマイばね１８，係合部３０，ラチエット爪７などはリコイルスタータを構成している。
【０００９】
また、１９は発電コイル，点火コイル，点火制御回路などを熱硬化性あるいは熱可塑性の合成樹脂にて一体形成されたコイルユニットで、前記シリンダ１２側に固定されている。
【００１０】
２０は前記コイルユニット１９にケーブル３３を介して接続されたプラグキャップで、このプラグキャップ２０がシリンダ１２に臨むプラグ２１に接続されている。
【００１１】
かかる構成になる小型エンジンでは、リール１６に巻装されているロープ１７を手で引張ることにより、このリール１６が回転し、そのリール１６に設けている係合部３０が、インサートコア２６に磁石３を埋設している回転子Ｂのラチエット爪７を引掛けて、これを回転させる。
【００１２】
これにより、前記回転子Ｂがエンジン１のクランクシャフト１４に取り付けられているために、前記回転子Ｂを介してクランクシャフト１４が回転駆動されて、エンジン１がクランキングされる。
【００１３】
一方、このとき、前記回転子Ｂに設けられている磁石２の磁束が、前記エンジン１のシリンダ１２側に固定された点火制御回路等を有するコイルユニット１９と鎖交し、これによって前記コイルユニット１６が発電出力を生ずるようになり、この発電出力がケーブル３３およびプラグキャップ２０を介して点火プラグ２１に供給され、これによって点火プラグ２１が火花を発生し、シリンダ１２内の混合気に点火を行って、エンジン１が始動されることとなる。
【００１４】
なお、前述したラチエット爪７の固定は、これを回転可能に支持する軸部である間筒８を、雄ねじ１０のインサートコア２６に対するねじ込みにてなされ、このため、前記回転子Ｂには雄ねじ１０に適合する雌ねじ２７が前記のように機械加工される。
【００１５】
【発明が解決しようとする課題】
従来の小型エンジンにおける磁石発電機の回転子は以上のように構成されているので、この回転子の無加工化が進んでいる現在でも、前述したラチエット爪７等を固定するためのねじ（雌ねじ）加工のみが唯一省略できない行程であり、このためコストの低減ができないという問題点があった。
【００１６】
また、磁性板を積層したインサートコアを使用し、これをプラスチックで略円盤状に成形した回転子では、前記ラチエット取付用のねじ加工が、アルミ部材をインサートするなどの特別な細工を施さなければ行えないという問題点があった。
【００１７】
この発明は、前述した従来技術の問題点を解決するため、特別な細工やねじ加工をしなくてもラチエット爪を簡単かつ確実に取り付けることができる安価な磁石発電機の回転子を提供することを目的とする。
【００１８】
【課題を解決するための手段】
請求項１の発明に係る磁石発電機の回転子は、ラチエット爪を回転可能に支持する軸部と、該軸部およびインサートコアに形成された透孔に挿通された雄ねじと、該雄ねじ端がねじ込まれて前記軸部を介して前記ラチエット爪を前記インサートコアに保持するナットとを設けて、前記インサートコアまたは非磁性材層に前記ナットの廻り止めをする廻り止め穴を形成したものである。
【００１９】
請求項２の発明に係る磁石発電機の回転子は、ラチエット爪を回転自在に支持する軸部を、インサートコアとともに一体成形したものである。
【００２０】
【発明の実施の形態】
請求項１の発明である磁石発電機の回転子は、該回転子のラチエット爪が固定される部分を、雄ねじをねじ止めするナットが廻り止めをする廻り止め穴および前記雄ねじを通す透孔をインサートコアに一体に設けてあるので、ねじ加工を施す必要が無く、前記ナットを前記廻り止め穴にはめ込み、前記透孔に通した雄ねじの先端をそのナットにねじ込むだけで、前記ラチエット爪を回転可能に支持する軸部を介して、該ラチエット爪をインサートコアに固定することを可能にする。
【００２１】
また、請求項２の発明である磁石発電機の回転子は、前記ラチエット爪を回転可能に支持する軸部を前記インサートコア成形時にこれと共に一体に成形したものであるため、前記軸部を形成する間筒をわざわざ部品として使用する必要がなくなり、部品点数の削減とコストの低減を図れるようにする。
【００２２】
以下に、この発明の一実施例を図について説明する。図１において、１２は小型エンジン１のシリンダ、１３はこのシリンダ１２内を摺動するピストンを支持するコンロッドである。また、１４は前記コンロッド１３端を偏心駆動するためのクランクシャフト、１５はこのクランクシャフト１４端に取り付けられた回転子Ａを固定するナットである。
【００２３】
前記回転子Ａは軸孔部を挟んで対向する一方が磁石２を保持して、磁極３とともにポールピース部Ｐを構成し、他方がバランスウェイト部４とされた磁性材のインサートコア５からなる。なお、このインサートコア５には冷却フィンなどが一体に設けられる。
【００２４】
また、６は前記インサートコア５を覆うように円盤状に成形された合成樹脂層などの非磁性材層である。
【００２５】
また、７はラチエット爪であり、このラチエット爪７は間筒としての透孔８ａを有する軸部８に図２に示すように嵌挿されて、この軸部８に対して回転自在に支持されている。１０は前記軸部８の透孔８ａおよびインサートコア５に形成された透孔２３に挿通された雄ねじである。
【００２６】
さらに、１１はナットであり、これが前記雄ねじ１０端にねじ込まれて、前記軸部８を前記インサートコア５に保持している。なお、ナット１１は前記インサートコア５に形成された廻り止め穴２４内にあって、前記雄ねじ１０のねじ込み操作にも拘らず廻り止めされている。図３は前記廻り止め穴２４として、前記ナット１１より僅か大き目の六角の凹部形状をなすものを示している。
【００２７】
また、前記廻り止め穴２４はインサートコア５に設けずに、これを覆う合成樹脂やアルミなどの非磁性材層６に形成してもよい。
【００２８】
また、９は前記軸部８に一端が固定され、他端が前記ラチエット爪７に係止されたラチエット用ばねであり、これがラチエット爪７を一方向に回転付勢している。
【００２９】
さらに、前記回転子Ａに対向する作業機の機枠２８内にはリール軸２９が一体に突設されており、このリール軸２９にはロープ１７を巻装したリール１６が回転自在に支持されており、このリール１６には前記ラチエット爪７を引掛けてこれを回転付勢する係合部３０が突設されている。
【００３０】
前記リール軸２９の周辺には、このリール軸２９の廻りに前記リール１６を回転付勢するためのゼンマイばね１８が設けられている。３１はリール軸２９端にねじ３２によって固定されて、リール１６の軸孔がリール軸２９から抜けるのを防止する抜け止め用のワッシャである。なお、リール軸２９，リール１６，ロープ１７，ゼンマイばね１８，係合部３０，ラチエット爪７などはリコイルスタータを構成している。
【００３１】
また、１９は発電コイル，点火コイル，点火制御回路などを熱硬化性あるいは熱可塑性の合成樹脂にて一体形成したコイルユニットで、前記シリンダ１２側に固定されている。
【００３２】
２０は前記コイルユニット１９にケーブル３３を介して接続されたプラグキャップで、このプラグキャップ２０がシリンダ１２に臨むプラグ２１に接続されている。
【００３３】
従って、かかる構成になる小型エンジンの回転子において、インサートコア５に前記ラチエット爪７を取り付ける場合には、まず、前記軸部８にラチエット爪７を回転自在に嵌挿し、その軸部８内に雄ねじ１０を挿通させて、その軸部８内に雄ねじ１０を挿通させる。
【００３４】
続いて、その雄ねじ１０をインサートコア５に予め形成された透孔２３に挿通させた後、その雄ねじ１０のインサートコア５より突出した先端部にナット１１をねじ込む。
【００３５】
このねじ込みは、廻り止め穴２４内に装着したナット１１に対し、雄ねじ１０を軸部８を介してねじ込むことにより簡単，迅速に実現できる。
【００３６】
従って、この実施例によればわざわざインサートコア５に前記雄ねじ１０をねじ込むための雌ねじのねじ加工を施す必要がなくなり、簡単に前記ラチエット爪７等を固定することができる。
【００３７】
なお、この実施例では前記廻り止め穴２４の形状を六角としたものを示したが、前記ナット１１を嵌め込んだ時に廻り止めの効果が得られればどのような形状でもよい。
【００３８】
次に、図４はこの発明の他の実施例を示す部分断面図であり、これが前述した実施例と異なるところは、ラチエット爪７を回転可能に支持する軸部８を、インサートコア５の成形時にこれと共に一体に成形した点であり、その他については前述した実施例と同一であり、その重複する説明は省略する。
【００３９】
このような構成とすれば、前記軸部８を別部品として用意する必要がなくなり、使用部品点数の削減によるコストダウンと組付け効率の向上を図ることができる。
【００４０】
なお、図１乃至図４で示した実施例において、インサートコア５を磁性材である焼結合金を用いて成形したものを示したが、磁性板を積層したものでも前述した場合と同様のことができる。
【００４１】
さらに、前記実施例ではインサートコア５を非磁性材層である合成樹脂層で被覆して円盤形状に形成した場合を説明したが、非磁性材層であればどのようなものでもよく、例えばアルミを使用したアルミダイキャスト層にて被覆してもよい。
【００４２】
さらにまた、前記実施例は軸孔を挟んで一方をポールピース部Ｐ、他方をバランスウェイト部４としたインサートコア５を使用した場合について説明したが、ポールピース部Ｐおよびバランスウェイト４が分離したものにも、本発明を適用できることは言うまでもない。
【００４３】
【発明の効果】
以上のように、請求項１の発明によれば、ラチエット爪を回転可能に支持する軸部と、該軸部およびインサートコアに形成された透孔に挿通された雄ねじと、該雄ねじ端がねじ込まれて前記軸部を介して前記ラチエット爪を前記インサートコアに保持するナットとを設けて、前記インサートコアまたは非磁性材層に前記ナットの廻り止めをする廻り止め穴を形成するように構成したので、特別な細工やねじ加工をしなくてもラチエット爪等を回転子に簡単かつ確実に取り付けることができるものが得られる効果がある。
【００４４】
請求項２の発明によれば、ラチエット爪を回転自在に支持する軸部を、インサートコアとともに一体成形するように構成したので、軸部を形成する間筒などをわざわざ部品として使用する必要がなく、ねじ加工の行程省略および部品点数の削減を実現でき、以ってコストを大幅に低減できるものが得られる効果がある。
【図面の簡単な説明】
【００４５】
【図１】この発明の一実施例による磁石発電機の回転子を持った小型エンジンを一部破断して示す断面図である。
【００４６】
【図２】図１における回転子の要部を拡大して示す断面図である。
【００４７】
【図３】図２における回転子の要部を示す左側面図である。
【００４８】
【図４】この発明の他の実施例による磁石発電機の回転子の要部を拡大して示す断面図である。
【００４９】
【図５】従来の小型エンジンを一部破断して示す断面図である。
【００５０】
【図６】図５における回転子の一部を拡大して示す断面図である。
【００５１】
【符号の説明】
２  磁石
Ｐ  ポールピース部
４  バランスウェイト部
５  インサートコア
６  非磁性材層
７  ラチエット爪
８  間筒（軸部）
８ａ  透孔
１０  雄ねじ
１１  ナット
２３  透孔
２４  廻り止め穴
【図１】
0003614942.tif 000002
【図２】
0003614942.tif 000003
【図３】
0003614942.tif 000004
【図４】
0003614942.tif 000005
【図５】
0003614942.tif 000006
【図６】
0003614942.tif 000007